(57)【特許請求の範囲】
【請求項１】
ホルダー本体を一対の支持部材と弾性部材とで構成し、夫々の支持部材の内面に弾性部材を接合できるように接合溝を形成しており、夫々の支持部材に内面から表面に弾性部材に形成している突起部の外径と同径の貫通孔を形成し、さらに夫々の弾性部材の内面から表面に向かい僅かに縮径した貫通孔を形成し、この一対の支持部材及び弾性部材の内面と内面とを接合して、上記弾性部材に形成した貫通孔により、小物用品収納部を構成したことを特徴とする小物用品ホルダー。
【請求項２】
一対の支持部材の内面と内面とを熱接合その他の方法で接着した請求項１記載の小物用品ホルダー。
【請求項３】
ホルダー本体に連結材取付用の小径の取付孔を形成した請求項１又は２記載の小物用品ホルダー。
【請求項４】
小径の取付孔に折り曲げ自在な連結材を取り付け、この連結材を介在させて止め具を設けた請求項３に記載の小物用品ホルダー。
【請求項５】
止め具はタック式のものか、タイピン式のものか、クリップ式のものか、キーホルダー式のものかのいずれかである請求項４に記載の小物用品ホルダー。
【請求項６】
小物用品収容部に印鑑を装着するようにしてある請求項１乃至５のいずれかに記載の小物用品ホルダー。
【請求項７】
小物用品収納部にネームプレートを装着するようにしてある請求項１乃至５のいずれかに記載の小物用品ホルダー。
【請求項８】
ネームプレートのネーム板の両面をネーム表示面とし、両面にレンズを固着させている請求項７記載の小物用品ホルダー。
【請求項９】
ネームプレートのネーム板のネーム表示面にレンズを、また反対側にガラスを固着させている請求項７記載の小物ホルダー。
【請求項１０】
小物用品収納部にお守りを装着するようにしてある請求項１乃至５のいずれかに記載の小物用品ホルダー。
【請求項１１】
小物用品収納部に薬入れを装着するようにしてある請求項１乃至５のいずれかに記載の小物用品ホルダー。
【発明の詳細な説明】
【０００１】
【産業上の利用分野】
本発明は、例えば印鑑入りの小型印鑑ケースその他の日常的に必要とする小物用品をしまい忘れずに体裁よく携行するための小物用品ホルダーに関する。
【０００２】
【従来の技術】
従来、印鑑入りの小型印鑑ケース等、日常的に必要な小物用品は携行者のポケットにしまいこんで必要の都度使用されていた。
上記印鑑や小物用品をしまい忘れることなく、使用の際に簡単に取り出せるとともに、体裁よく携行できるホルダーはなかった。
【０００３】
【発明が解決しようとする課題】
従来、上記印鑑入りの小型印鑑ケースその他の日常的に必要な小物用品はポケットにしまいこんで携行する場合が多く、いざ使用する際に見当たらずポケットの中を捜し回るという問題点があった。
また、巡回が課せられている職業の場合、例えば看護婦（又は医師、警備業務者等）が巡回先において確認のため捺印する際には、手元で間違いなく手軽に印鑑を取り出して、しまえるとともに、体裁よく携行できるホルダーが求められているという課題があった。
【０００４】
本発明は、上記の問題点や課題を解決するために、印鑑や液浸透式印入りの小型印鑑ケース等日常的に必要な小物用品を手元で間違いなく且つ手軽に取り出し、使用のあと簡単確実にしまえるとともに、体裁よく携行できる小物用品ホルダーを提供することを目的とする。
【０００５】
【課題を解決するための手段】
本発明ホルダーは、上記の目的を達成するために、ホルダー本体に貫通孔によって形成した小物用品収容部を設けて構成した。
上記ホルダー本体を一対の支持部材と弾性部材とで構成し、夫々の支持部材の内面に弾性部材を接合できるように接合溝を形成しており、夫々の支持部材に内面から表面に弾性部材に形成している突起部の外径と略同径の貫通孔を形成し、さらに、夫々の弾性部材に内面から表面に向かい僅かに縮径した貫通孔を形成し、この一対の支持部材及び弾性部材の内面と内面とを接合して、上記弾性部材に形成した貫通孔により、小物用品収容部を構成した。
【０００６】
一対の支持部材の内面と内面とを熱接合その他の方法で接合した。
ホルダー本体に小径の取付孔を形成した。
小径の取付孔に折り曲げ自在の連結材を取り付け、この連結材を介在させて止め具を設けた。
止め具はタック式のものか、タイピン式のものか、クリップ式のものか、キーホルダー式のものかのいずれかである。
小物用品収容部に印鑑か、ネームプレートか、お守りか、薬入れのいずれかの小物用品を装着するようにしてある。
【０００７】
【発明の実施の形態】
発明の実施の形態を図面を参照して説明する。
図１はホルダー本体１に小筒状の印鑑ケース２０を装着した状態を示す。上記ホルダー本体１は、楕円形に形成した支持部材２の内面に弾性部材４を、支持部材３の内面に弾性部材５を夫々嵌合して、一対のこれらを接合して貫通孔状の小物用品収容部６を設けて構成したものであり、この小物用品収容部６に上記印鑑ケース２０を装着してある。この印鑑ケース２０には小型印鑑又は液浸透式印を収めてある。また、ホルダー本体１には小物用品収容部４とは別に小径の取付孔１６が形成されている。
図２は、上記ホルダー本体１に印鑑ケース２０を装着する前の状態又はホルダー本体１に装着した印鑑ケース２０を取り出した状態である。
【０００８】
図３は上記ホルダー本体１の分解図であり、一対の支持部材２と支持部材３及び弾性部材４と弾性部材５とを接合する前の状態を示し、また、図４は一対の支持部材２，３及び弾性部材４，５とを相対させた状態を示している。
支持部材２は弾性部材４を固定するために弾性部材４の外径と略同径で且つ弾性部材４の内面１１Ａから壁面１４Ａまでの厚さと溝の深さとが略等しい接合溝９Ａを形成している内面７Ａと、外側に丸みをもたせている表面８Ａとを有し、内面７Ａから表面８Ａに向かい弾性部材４の突起部１３Ａの外径と同径の貫通孔１０Ａを形成してある。この実施例では、貫通孔１０Ａは、上記内面７Ａの中央部に楕円形状に開口してある。
支持部材３は支持部材２と同じ構造である。
【０００９】
弾性部材４は楕円形平面状の内面１１Ａと、楕円形台状の突起部１３Ａが形成された表面１２Ａとを有し、上記で説明したように、内面１１Ａ及び壁面１４Ａの外径は支持部材２の接合溝９Ａの外径と略同径であり、また、表面１２Ａの外径は支持部材２の貫通孔１０Ａと略同径である。内面１１Ａから表面１２Ａに向かい僅かに縮径した貫通孔１５Ａを形成しており、この部分が小物用品収納部６になる。この実施例では、貫通孔１５Ａは、上記内面１１Ａの中央部に楕円形状に開口しており、また表面１２Ａの突出部１３Ａでは内面１１Ａの開口より僅かに縮径した楕円形状に開口している（図４）。
弾性部材５も弾性部材４と同じ構造である。
【００１０】
図５は図３及び図４図示の支持部材２，３及び弾性部材４，５の内面と内面とを接合した状態を示す。
支持部材２，３の接合溝９Ａ，９Ｂに弾性部材４，５の壁面１４Ａ，１４Ｂを、支持部材２，３の貫通孔１０Ａ，１０Ｂに弾性部材４，５の突起部１３Ａ，１３Ｂを、夫々接合させ、接合させた支持部材２と弾性部材４の内面７Ａ，１１Ａ及び支持部材３と弾性部材５の内面７Ｂ，１１Ｂを相対させて、支持部材２と支持部材３とを、熱接合、高周波接合、接着材による接合等で接着すると、ホルダー本体１が形成される。このホルダー本体１には、弾性部材４と弾性部材５の貫通孔１５Ａ，１５Ｂが連通して小物用品収納部６が形成され、また支持部材２，３の小径の貫通孔１７Ａ，１７Ｂが連通した取付孔１６が形成されている。
【００１１】
上記構成のホルダー本体１に、小筒状の印鑑ケース２０を装着する場合は、印鑑ケース１１を突出部１３の開口に当てて、例えば印鑑ケース２０の側面を親指で押すようにすれば容易に、且つ確実に装着できる。また、取り出す際にも印鑑ケース２０の側面を親指で押し出して容易に取り出せる。弾性部材で小物用品収納部６を形成したことより、この弾性部材が印鑑ケース２０を弾性的に保持するから、その着脱が円滑に行える。
【００１２】
図６乃至図９は、印鑑ケース２０を装着したホルダー本体１に、自在に曲がる鎖を連結材１８として用い、この連結材１８を介在させて止め具を設けた実施例を示す。連結材１８とホルダー本体１とは、取付孔１６に取り付けた小リング１９を介して連結してある。
図６では止め具２１にタック式のものを用いている。例えば、この止め具１９をネクタイに差し込んで、ホルダー１を胸ポケットにしまっておけば、印鑑を忘れずに確実に且つ体裁よく携行できる。図７では止め具２２にタイピン式のものを用いている。この場合も同様に印鑑を忘れずに確実に且つ体裁よく携行できる。
図８ではクリップ式のものを止め具２３に用いている。例えば、この止め具２３をベルトに挟み込んで、印鑑ケース２０を装着したホルダー本体１をズボンのポケット等に入れて携行できる。図９ではキーホルダー式のものを止め具２４に用いた例を示す。例えば上着の脇ポケットに入れて携行するのに適している。
【００１３】
図１０は、小筒状のネームプレート２６を装着したホルダー本体１に、ネックレスを連結材２５として用い、この連結材２５を介在させた実施例を示す。連結材２５とホルダー本体１とは、ホルダー本体１の長径側両方に形成されている小径の取付孔１６，１６に取り付けた小リング１９，１９を介在して連結してある。
【００１４】
図１１は、ホルダー本体１及びネームプレート２６の分解図であり、ホルダー本体１は図３と同様に一対の支持部材２と支持部材３及び弾性部材４と弾性部材５とを接合する前の状態を示し、ネームプレート２６はネーム板２７とレンズ２８，２９とを接合する前の状態を示す。
ネーム板２７は、弾性部材４，５の貫通孔１５Ａ，１５Ｂと略同径の楕円形状に形成しており両面ともネーム表示面３０Ａ，３０Ｂとなっている。
レンズ２８は楕円形平面状の内面３１Ａと、全体に丸みをもたらせている表面３２Ａとを有している。
レンズ２９はレンズ２８と同じ構造である。
【００１５】
図１２は図１１図示のホルダー本体１及びネームプレート２６を接合した状態を示す。
ネームプレート２６は、レンズ２８の内面３１Ａとレンズ２９の内面３１Ｂを相対させて、ネーム板２７のネーム表示面３０Ａにレンズ２８の内面３１Ａを、ネーム表示面３０Ｂにレンズ２９の内面３１Ｂを、夫々接合させる。
ホルダー本体１は図５と同じ構造となっており、接合したネームプレート２６は印鑑ケース２０と同様にホルダー本体１に装着する。
ネーム板２７にレンズ２８，２９を接合させたことにより、実際にネーム板２７に表示したネームより、拡大された大きさでネームを見ることができる。
【００１６】
図１３は、ホルダー本体１及びネームプレート３３の分解図であり、ホルダー本体１は図３と同様に一対の支持部材２と支持部材３及び弾性部材４と弾性部材５とを接合する前の状態を示し、ネームプレート３３はネーム板３４とレンズ３５及びガラス板３６とを接合する前の状態を示す。
ネーム板３４は、ネーム板２７と同じ構造であり、片面のみにネーム表示面３７Ａを設けている。
レンズ３５もレンズ２８，２９と同じ構造である。
ガラス板３６は楕円形平面状の内面３８Ｂと、楕円形平面状の表面３９Ｂとを有している。この実施例では、表面３９Ｂが、ホルダーの表面８Ｂ，１２Ｂと合うようになっており、弾性部材５の貫通孔１５Ｂは内面１１Ｂから表面１２Ｂに向かい僅かに縮径した形状になっているので、表面３９Ｂは内面３８Ｂより僅かに縮径した楕円形状になっている。
【００１７】
図１４は図１３図示のホルダー本体１及びネームプレート３３を接合した状態を示す。
ネームプレート３３は、レンズ３５の内面３８Ａとガラス板３６の内面３８Ｂを相対させて、ネーム板３４のネーム表示面３７Ａにレンズ３５の内面３８Ａを、ネーム非表示面３８Ｂにガラス板３６の内面３８Ｂを、夫々接合させる。
ホルダー本体１は図５と同じ構造となっており、接合したネームプレート３３はガラス板３６の表面３９Ｂが支持部材３の表面８Ｂ及び弾性部材５の表面１２Ｂとスムーズに合うように装着する。
ネーム板３４にレンズ３５を接合させたことにより、実際に表示したネームより、拡大された大きさでネームを見ることができる。
上記実施例ではネーム盤２７，３４にネームを記載して表示したが、レンズの内面にネームを刻設し、着色してもよい。またガラス板３６を合成樹脂板等とし、その表面にクリップ、あるいは止めピン、安全ピン等の止め具を装着してもよい。
【００１８】
図１５及び図１６は、上記キーホルダー式の止め具２４を用いたホルダー本体１に、印鑑ケース１１以外のものを装着した実施例である。
図１５では印鑑ケース１１の代わりにお守り４０を用いている。
図１６では印鑑ケース１１の代わりに薬入れ４１を用いている。例えば、薬入れ４１に頭痛薬、胃腸薬等の常備薬を入れて脇ポケット等に入れて携行することができ、薬を使用する際には、薬入れ４１を円滑に取り外すことができる。
【００１９】
【発明の効果】
本発明ホルダーは、ホルダー本体に貫通孔によって形成した小物用品収容部を設けて構成したから、該収容部に小物用品を着脱自在に装着でき、使用に便利な効果を有する。
また、上記ホルダー本体を一対の支持部材及び弾性部材によって構成し、夫々の弾性部材に内面から表面に向かい僅かに縮径した貫通孔を形成し、この一対の支持部材及び弾性部材とを接合して、上記貫通孔により小物用品収容部を構成したから、便利なホルダーの製造を容易とし得た利点も有する。
【００２０】
ホルダー本体に小径の取付孔を形成してあるから、ホルダーに止め具を取り付けることができる効果を有する。
弾性部材で小物用品収容部を形成したから、ホルダーに印鑑ケース等を容易に装着でき、使用する際にも手元で間違えなく手軽に取り出せる効果を有する。
小径の取付孔に折り曲げ自在の連結材を取り付け、この連結材を介在させて止め具を設けてあるからホルダーを自在に身に付けて確実に携行できる効果を有する。
止め具はタック式のものか、タイピン式のものか、クリップ式のものか、キーホルダー式のものかのいずれかとしてあるから、印鑑やその他の小物用品を装着したホルダーを体裁よく携行できる効果を有する。
連結材としてネックレスを使用したネームプレートにレンズが接合されているので、ネームプレートを首に容易にかけることができ、ネームがはっきり表示されているので、人の目につく効果を有する。
印鑑以外の小物用品として、ネームプレート、お守り、薬入れをホルダーに装着して体裁よく携行できる効果を有する。
【図面の簡単な説明】
【図１】本発明ホルダーに印鑑ケースを装着した状態を示す斜視図。
【図２】図１図示のホルダーと印鑑ケースとを分離して示す斜視図。
【図３】図１図示のホルダーの分解斜視図。
【図４】一対の支持部材及び弾性部材の内面と内面とを相対させた状態を示す断面図。
【図５】図４図示の支持部材及び弾性部材の内面と内面とを接合させた状態を示す断面図。
【図６】図１図示のホルダーにタック式の止め具を取り付けた状態を示す斜視図。
【図７】図１図示のホルダーにタイピン式の止め具を取り付けた状態を示す斜視図。
【図８】図１図示のホルダーにクリップ式の止め具を取り付けた状態を示す斜視図。
【図９】図１図示のホルダーにキーホルダー式の止め具を取り付けた状態を示す斜視図。
【図１０】本発明ホルダーにネームプレートを装着した状態を示す斜視図。
【図１１】図１０図示のホルダー及びネームプレートの分解斜視図。
【図１２】図１１図示のホルダー及びネームプレートを接合させた状態を示す断面図。
【図１３】図１０図示のホルダー及びネームプレートの別の実施例を示す分解斜視図。
【図１４】図１３図示のホルダー及びネールプレートを接合させた状態を示す断面図。
【図１５】図９図示のキーホルダー式の止め具を取り付けたホルダーにお守りを装着した状態を示す斜視図。
【図１６】図９図示のキーホルダー式の止め具を取り付けたホルダーに薬入れを装着した状態を示す斜視図。
【符号の説明】
１  ホルダー本体
２  支持部材
３  支持部材
４  弾性部材
５  弾性部材
６  小物用品収容部
７Ａ，７Ｂ  内面
８Ａ，８Ｂ  表面
９Ａ，９Ｂ  接合溝
１０Ａ，１０Ｂ  貫通孔
１１Ａ，１１Ｂ  内面
１２Ａ，１２Ｂ  表面
１３Ａ，１３Ｂ  突起部
１４Ａ，１４Ｂ  壁面
１５Ａ，１５Ｂ  貫通孔
１６  取付孔
１７Ａ，１７Ｂ  貫通孔
１８  連結材
１９  小リング
２０  印鑑ケース
２１  タック式の止め具
２２  タイピン式の止め具
２３  クリップ式の止め具
２４  キーホルダー式の止め具
２５  連結材
２６  ネームプレート
２７  ネーム板
２８  レンズ
２９  レンズ
３０Ａ，３０Ｂ  ネーム表示面
３１Ａ，３１Ｂ  内面
３２Ａ，３２Ｂ  表面
３３  ネームプレート
３４  ネーム板
３５  レンズ
３６  ガラス板
３７Ａ  ネーム表示面
３７Ｂ  ネーム非表示面
３８Ａ，３８Ｂ  内面
３９Ａ，３９Ｂ  表面
４０  お守り
４１  薬入れ
【図１】
0003660436.tif 000002
【図２】
0003660436.tif 000003
【図３】
0003660436.tif 000004
【図４】
0003660436.tif 000005
【図５】
0003660436.tif 000006
【図６】
0003660436.tif 000007
【図７】
0003660436.tif 000008
【図８】
0003660436.tif 000009
【図９】
0003660436.tif 000010
【図１０】
0003660436.tif 000011
【図１１】
0003660436.tif 000012
【図１２】
0003660436.tif 000013
【図１３】
0003660436.tif 000014
【図１４】
0003660436.tif 000015
【図１５】
0003660436.tif 000016
【図１６】
0003660436.tif 000017